(57)【要約】【課題】ペットのトイレ用シートの上部でペットが動いたり、爪で引っかいたりした場合でも、めくれたり、剥がされたりしないように固定する構造を簡単な構成で実現したペット用トイレを提供する。【解決手段】トイレ用シートを上面に敷設する平板状の台座と該台座の両側を所定高さに固定したサイド部材とを有するトイレ本体と、サイド部材間の台座の各両端を挟持する中間隙間を有する挟持部材とを有し、トイレ本体の台座の上面に敷設したトイレ用シートが両側のサイド部材間に収まる台座の横幅を有すると共に、トイレ用シートの長手方向の両端が台座の端部にて下部に回り込むだけの余長を有するように台座の縦幅を形成し、該台座の上面に敷設したトイレ用シートを台座の両端部の下部に回し込んだ状態にして挟持部材の中間隙間で挟み込むことにより、トイレ用シートが台座の端部で折れ返された状態で挟持部材の中間隙間内にて押圧状態に固定されるようにした。【選択図】図１
2014018130.tif 000002
【特許請求の範囲】
【請求項１】
トイレ用シートを上面に敷設する平板状の台座と該台座の両側を所定高さに固定したサイド部材とを有するトイレ本体と、サイド部材間の台座の各両端を挟持する中間隙間を有する挟持部材とを有し、トイレ本体の台座の上面に敷設したトイレ用シートが両側のサイド部材間に収まる台座の横幅を有すると共に、トイレ用シートの長手方向の両端が台座の端部にて下部に回り込むだけの余長を有するように台座の縦幅を形成し、該台座の上面に敷設したトイレ用シートを台座の両端部の下部に回し込んだ状態にして挟持部材の中間隙間で挟み込むことにより、トイレ用シートが台座の端部で折れ返された状態で挟持部材の中間隙間内にて押圧状態に固定されるようにしたことを特徴とするペット用トイレ。
【請求項２】
挟持部材の中間隙間の下部の高さが台座の下面に形成した隙間の高さよりもやや低く、且つ挟持部材の中間隙間の高さ方向の幅が台座の高さ方向の幅よりもやや大きいことを特徴とする請求項１記載のペット用トイレ。
【請求項３】
両側のサイド部材の下面に弾性部材を固定したことを特徴とする請求項１又は２記載のペット用トイレ。
【発明の詳細な説明】
【技術分野】
【０００１】
本発明は、室内に設置するトレイ状の部材にペットのトイレ用シートを設けることにより、ペットの排泄物を処理するようにしたペット用トイレに関する。
【背景技術】
【０００２】
従来から室内で飼育している犬や猫等のペットが排泄をするのに備え、床等に設置したペット用トイレに吸水性を有するトイレ用シートを敷設することが行われている。
【０００３】
このようなペット用トイレに関して従来の文献を参照すると、特許文献１のペット用トイレは、底浅のトレイ状の受け皿に板状の尿吸収マットと、この尿吸収マットの上面の全域を密接して被覆する液透過性の不織布とを収容した動物用トイレが記載されている。
【０００４】
しかしながら、この文献のペット用トイレは、尿吸収マットの上部でペットが動いたり、尿吸収マットを爪で引っかいたりすると、容易にめくれたり、剥がされたりするという欠点があった。
【０００５】
また、特許文献２のペット用トイレは、ペットがシーツ上で激しく動いた場合にも、シーツがトイレ本体から外れることを防止するために、トイレ本体に敷いたシーツの外周を押さえ枠によって固定する構成としている。
【０００６】
しかしながら、この文献のペット用トイレは、上記のようにペットがシーツ上で動いた際にシーツがめくれたり、剥がれたりする構造が非常に複雑に構成されており、製造コストが高騰するという不都合が生じる。
【０００７】
なお、上記の説明において、特許文献１においては「尿吸収マット」と云い、特許文献２では「シーツ」と云っているのは、いずれもペットの排尿等の排泄物に対する吸水性を有するように構成されたシート状の吸水材料のことであり、本発明では、これを「トイレ用シート」と称する。
【先行技術文献】
【特許文献】
【０００８】
【特許文献１】特開２００２−１４２５９９号公報
【特許文献２】特開平８−５６５２２号公報
【発明の概要】
【発明が解決しようとする課題】
【０００９】
本発明は、上記の事情に鑑みてなされたものであり、ペットのトイレ用シートの上部でペットが動いたり、爪で引っかいたりした場合でも、めくれたり、剥がされたりしないように固定する構造を簡単な構成で実現したペット用トイレを提供することを目的とする。
【課題を解決するための手段】
【００１０】
上記の問題を解決するために、本発明の請求項１のペット用トイレは、トイレ用シートを上面に敷設する平板状の台座と該台座の両側を所定高さに固定したサイド部材とを有するトイレ本体と、サイド部材間の台座の各両端を挟持する中間隙間を有する挟持部材とを有し、トイレ本体の台座の上面に敷設したトイレ用シートが両側のサイド部材間に収まる台座の横幅を有すると共に、トイレ用シートの長手方向の両端が台座の端部にて下部に回り込むだけの余長を有するように台座の縦幅を形成し、該台座の上面に敷設したトイレ用シートを台座の両端部の下部に回し込んだ状態にして挟持部材の中間隙間で挟み込むことにより、トイレ用シートが台座の端部で折れ返された状態で挟持部材の中間隙間内にて押圧状態に固定されるようにしたことを特徴とする。
【００１１】
また、本発明の請求項２のペット用トイレは、請求項１において、挟持部材の中間隙間の下部の高さが台座の下面に形成した隙間の高さよりもやや低く、且つ挟持部材の中間隙間の高さ方向の幅が台座の高さ方向の幅よりもやや大きいことを特徴とする。
【００１２】
さらに、本発明の請求項３のペット用トイレは、請求項１又は２において、両側のサイド部材の下面に弾性部材を固定したことを特徴とする。
【発明の効果】
【００１３】
本発明のペット用トイレによれば、室内等の床面上に設置したトイレ本体の台座の上面にトイレ用シートを敷設すると、該トイレ用シートが両側のサイド部材間に収まると共に、トイレ用シートの長手方向の両端が台座の端部にて下部に回り込む状態となる。そこで、台座の両端部の下部にトイレ用シートを回し込んで折り返し状態にして挟持部材の中間隙間で挟み込むと、台座の端部で折れ返されたトイレ用シートが挟持部材の中間隙間内にて押圧状態に固定される。
【００１４】
このような構成により、台座の両端の挟持部材間でトイレ用シートが台座の上面にて張られた状態で敷設され、その上面にペットが乗って動いたり、爪で引っかいたりしても、トイレ用シートがめくれたり、剥がされたりすることがなく、固定状態を保つことが可能となる。
【００１５】
また、本発明のペット用トイレにトイレ用シートを取付ける作業は、上記のように非常に簡単であって、ペットが排泄した後のトイレ用シートを交換する際にも、簡単な作業によって取り外し、また新しいトイレ用シートを交換することが可能となる。
【００１６】
さらに、本発明のペット用トイレにおいては、挟持部材の中間隙間の下部の高さが台座の下面に形成した隙間の高さよりもやや低く、且つ挟持部材の中間隙間の高さ方向の幅が台座の高さ方向の幅よりもやや大きいものとしている。
【００１７】
このような構成により、台座の上面にトイレ用シートを敷設した後、台座の両端部の下部にトイレ用シートを回し込んだ状態にして、その状態で床面上に設置した挟持部材を台座の端部の方向にスライドするだけで、トイレ用シートを台座の両端部で挟持した固定状態にすることが可能となる。
【００１８】
さらに、本発明のペット用トイレにおいて、両側のサイド部材の下面に弾性部材を固定した構成により、床面上に設置したトレイ本体が床面上で滑ったり、ずれたりすることを防止することができ、ペット用トイレにペットが触れたり、ぶつかったりした場合でも、ペット用トイレを所定の位置に設置しておくことが可能となる。
【図面の簡単な説明】
【００１９】
【図１】(ａ)は、本発明による実施形態のペット用トイレの分解斜視図であり、(ｂ)は、このペット用トイレの組み立て後の斜視図である。
【図２】本発明による実施形態のペット用トイレの各部材を示す図であり、(ａ)はペット用トイレの本体と両側のサイド部材を示す平面図であり、(ｂ)はペット用トイレの本体と両側のサイド部材を示す側面図であり、(ｃ)はペット用トイレの本体の正面図であり、(ｄ)はサイド部材の中間隙間側の側面図である。
【図３】(ａ)及び(ｂ)は、本発明による実施形態のペット用トイレの各部の寸法関係を示す部分拡大図である。
【図４】(ａ)〜(ｃ)は、本発明による実施形態のペット用トイレの台座の上面にトイレ用シートを敷設して両側のサイド部材で固定する作業手順を示す断面図である。
【発明を実施するための形態】
【００２０】
以下、本発明の実施形態について図面を参照しながら説明する。
【実施例】
【００２１】
本実施形態のペット用トイレ１において、図１(ａ)又は(ｂ)に示すように、トイレ本体２は、トイレ用シート３を上面に敷設する平板状の台座４と該台座４の両側を所定高さに固定するサイド部材５、５とから構成されている。さらに、本実施形態のペット用トイレ１は、サイド部材５、５間の台座４の各両端を挟持する挟持部材６、６を備えている。
【００２２】
なお、これらの台座４、サイド部材５、５、及び挟持部材６は合成樹脂等によって形成するのが量産に適し、安価に製造することも可能となるが、合成樹脂以外の金属や木材や竹材等によって構成することも可能である。
【００２３】
このような構成において、トレイ本体２を構成する平板状の台座４は、図２(ａ)に示すように平面形状が長方形を有し、その台座４の短尺側の幅Ｄ１は市販の所定寸法（例えば、短尺側の幅約３２ｃｍ、長尺側の長さ約４５ｃｍ）の長方形状のトイレ用シート３の短尺側の幅よりもやや長い寸法としている。これによって、トイレ用シート３は、図１(ａ)又は図２(ａ)に示すように、サイド部材５、５間に収まる状態で台座４の上面に載置することができ、トイレ用シート３の内方の吸水マット部３ａをサイド部材５、５間の台座４上に露呈することが可能となる。
【００２４】
また、図２(ａ)において、台座４の長尺側の縦幅Ｌ１は、上記のトイレ用シート３の長尺側の長さよりも短く、トイレ用シート３を台座４の上面に載置したとき、トイレ用シート３が台座４の長手方向の幅よりもやや長い余長Ｌ２を両側に有する寸法とされている。
【００２５】
さらに、トイレ本体２の夫々のサイド部材５、５は、図２(ｃ)に示すように、その端面の形状が高さ方向に長い長方形を有する長尺部材から構成されている。このような各サイド部材５は、図２(ａ)に示すように、台座４の長尺側の長さよりもやや長い余長を有することによって、図１(ｂ)に示すように、台座４の長尺側の端部に挟持部材６を挟持した状態で、両側の挟持部材６、６がサイド部材５、５の長さの範囲内に収まるものとしている。
【００２６】
また、トレイ本体２の両側のサイド部材５、５の下面には、図２(ｂ)に示すように、シリコンやゴム製等の突起形状の滑り止め用弾性部材７が固定され、床面上に設置したトレイ本体２が床面上で滑ったり、ずれたりするのを防止可能としている。
【００２７】
さらに、台座４の各両端を挟持する各挟持部材６は、図２(ａ)に示すように台座４の短尺側の幅Ｄ１よりやや短い幅に形成されている。これによって、各挟持部材６が両側のサイド部材５，５間に挿入された状態で台座４の長手方向側の各両端部４ｂを挟持することが可能とされている。
【００２８】
また、夫々の挟持部材６は、図２(ｂ)又は図２(ｄ)に示すように、片側の長尺方向に沿ってコ字形の中間隙間６ａを有する形状とされている。
【００２９】
さらに、本実施形態において、図３(ａ)及び(ｂ)に示すように、挟持部材６の中間隙間６ａの下部の高さｈ２が台座４の下面に形成した隙間４ａの高さｈ１よりもやや低く、且つ挟持部材６の中間隙間６ａの高さ方向の幅ｄ２が台座４の高さ方向の幅ｄ３よりもやや大きいものとしている。
【００３０】
このような構成により、図３(ｂ)に示すように、台座４の上面にトイレ用シート３を敷設した後、台座４の端部４ｂの下部にトイレ用シート３を回し込んだ状態にする。そして、このようにトイレ用シート３を折り返した状態で床面上に設置した挟持部材６を台座４の端部４ｂの方向にスライドするだけで、挟持部材６の中間隙間６ａが台座４の両端部４ｂで折り返した状態のトイレ用シート３を挟持することによって固定状態にすることが可能となる。
【００３１】
このような構成において、台座４の端部４ｂにてトイレ用シート３が角部ｃ１、ｃ２で折り曲げられ、角部ｃ１、ｃ２間の面３ｂが挟持部材６の中間隙間６ａの内面によって押圧され、台座４の上面に敷設したトイレ用シート３を張設することが可能となる。そして、このような構成により、ペット用トイレ１に設けたトイレ用シート３の上面にペットが乗って動いたり、爪で引っかいたりしても、トイレ用シート３がめくれたり、剥がされたりすることがなく、固定状態を保つことが可能となる。
【００３２】
本実施形態において、上記の構成のペット用トイレ１を使用するには、図４(ａ)〜(ｃ)に示すように、ペット用トイレ１を床面上に設置し、台座４の上面に敷設したトイレ用シート３を台座４の両端部の下部に回し込んだ折り返し状態にして挟持部材６の中間隙間６ａで挟み込む。これによってトイレ用シート３は台座４の端部で折り返された状態で挟持部材６の中間隙間６ａ内で押圧されることによって固定され、両端の挟持部材６、６間のトイレ用シート３が台座４の上面にて張られた状態で敷設される。
【００３３】
このように本発明のペット用トイレにトイレ用シート３を取付ける作業は、非常に簡単であって、ペットが排泄した後のトイレ用シート３を交換する際にも、簡単な作業によって取り外し、また新しいトイレ用シート３を交換することが可能となる。
【産業上の利用可能性】
【００３４】
本発明のペット用トイレは、ペットのトイレ用シートの上部でペットが動いたり、爪で引っかいたりした場合でも、台座上のトイレ用シートが、めくれたり、剥がされたりしないようにしたペット用トイレとして利用可能である。
【符号の説明】
【００３５】
１  ペット用トイレ
２  トイレ本体
３  トイレ用シート
３a  吸水マット部
３ｂ  角部間の面
４  台座
４ａ  台座の下部の隙間
４ｂ  台座の端部
５  サイド部材
６  挟持部材
６ａ  中間隙間
６ｂ  中間隙間の下部
７  滑り止め用弾性部材
ｃ１、ｃ２  角部
Ｄ１  台座の短尺側の幅
ｄ２  挟持部材の中間隙間の高さ方向の幅
ｄ３  台座の高さ方向の幅
ｈ１  台座の下面に形成した隙間の高さ
ｈ２  挟持部材の中間隙間の下部の高さ
Ｌ１  台座の長尺側の縦幅
Ｌ２  トイレ用シートの余長
【図１】
2014018130.tif 000003
【図２】
2014018130.tif 000004
【図３】
2014018130.tif 000005
【図４】
2014018130.tif 000006